(57)【要約】【課題】音声で指示を受け付ける機能による無駄が従来よりも少ない画像形成装置を提供する。【解決手段】ユーザが両手で使用する測定デバイス１０ｒとともに用いられる画像形成装置１に、測定デバイス１０ｒがユーザによって持たれる前は、ユーザによって与えられた、画像形成装置１が実行する処理に関する指示を音声によって受け付けず、測定デバイス１０ｒが両手で使用されている間は、指示を音声によって受け付ける音声処理部１１０を設ける。【選択図】図４
2020012927.tif 000002
【特許請求の範囲】
【請求項１】
ユーザが両手で使用する機器とともに用いられる画像形成装置であって、
前記機器が前記ユーザによって持たれる前は、当該画像形成装置が実行する処理に関する指示を音声によって受け付けず、当該機器が前記両手で使用されている間は、当該指示を当該音声によって受け付ける受付手段
を有することを特徴とする画像形成装置。
【請求項２】
前記機器が前記両手で使用されている間に当該機器が取得した当該ユーザの生体に関する情報を当該機器から受信する受信手段と、
受信した前記情報を出力する出力手段と、を有する、
請求項１に記載の画像形成装置。
【請求項３】
前記受付手段は、前記機器が前記両手で使用されており、かつ、当該画像形成装置が前記ユーザから与えられたジョブを前記処理として実行している間、当該ジョブを中断しまたは一時的に停止する第一の指示を前記指示として前記音声によって受け付ける、
請求項１または請求項２に記載の画像形成装置。
【請求項４】
前記ジョブは、当該画像形成装置が画像を印刷する印刷ジョブであり、
前記受付手段は、前記機器が前記両手で使用されており、かつ、当該画像形成装置が前記印刷ジョブを前記処理として実行している間、前記画像が表示されているときに、当該印刷ジョブを一時的に停止する第二の指示を前記指示として前記音声によって受け付け、その後、当該画像を回転させる第三の指示を前記指示として前記音声によって受け付ける、
請求項３に記載の画像形成装置。
【請求項５】
前記受付手段は、前記機器が前記両手で使用されている間、当該画像形成装置が前記印刷ジョブにおいて印刷しまたは印刷するのを中断した画像を印刷するリプリントジョブを新たに前記処理として開始する第四の指示を、前記指示として前記音声によって受け付ける、
請求項４に記載の画像形成装置。
【請求項６】
前記受付手段は、前記機器が前記両手で使用されている間、前記印刷ジョブにおいて当該画像形成装置が印刷した画像が表示されているときに、当該画像に代えて、当該画像形成装置が印刷した他の画像を表示し、または当該画像を調整して表示する第五の指示を前記指示として前記音声によって受け付ける、
請求項４または請求項５に記載の画像形成装置。
【請求項７】
前記受付手段は、前記機器が前記両手で使用されている間、前記処理を実行するための準備が完了していれば、当該処理を開始する第六の指示を前記指示として前記音声によって受け付ける、
請求項１ないし請求項６のいずれかに記載の画像形成装置。
【請求項８】
前記ユーザが前記機器を使用した使用履歴に基づいて、当該画像形成装置の前記音声による操作方法を表示するか否かを判別する、説明要否判別手段と、
前記操作方法を表示すると判別した場合、当該操作方法を表示する、表示手段と、を有する、
請求項１ないし請求項７のいずれかに記載の画像形成装置。
【請求項９】
前記受付手段は、前記機器が前記両手で使用され始めるまでは、前記指示を前記音声によって受け付けることができないようにし、当該機器が当該両手で使用され始めたら当該指示を当該音声によって受け付けることができるようにし、当該機器が当該両手で使用され終わったら当該指示を当該音声によって受け付けることができないようにする、
請求項１ないし請求項８のいずれかに記載の画像形成装置。
【請求項１０】
ユーザが両手で持って当該ユーザの生体を計測する機器とともに用いられる画像形成装置であって、
前記機器が前記ユーザによって持たれる前は、当該画像形成装置が実行する処理に関する指示を音声によって受け付けず、当該機器が前記生体を測定している間は、当該指示を当該音声によって受け付ける受付手段
を有することを特徴とする画像形成装置。
【請求項１１】
ユーザが両手で使用する機器が当該ユーザによって持たれる前は、画像形成装置が実行する処理に関する指示を音声によって当該画像形成装置に受け付けさせず、当該機器が当該両手で使用されている間は、当該指示を当該音声によって当該画像形成装置に受け付けさせる、
ことを特徴とする指示受付方法。
【請求項１２】
ユーザが両手で使用する機器とともに用いられる画像形成装置を制御するためのコンピュータプログラムであって、
前記画像形成装置に、
前記機器が前記ユーザによって持たれる前は、当該画像形成装置が実行する処理に関する指示を音声によって受け付けず、当該機器が前記両手で使用されている間は、当該指示を当該音声によって受け付ける処理を実行させる、
ことを特徴とするコンピュータプログラム。
【発明の詳細な説明】
【技術分野】
【０００１】
本発明は、ユーザの生体を測定する測定装置などの機器とともに用いられる画像形成装置の技術に関する。
【背景技術】
【０００２】
従来、「複合機」または「ＭＦＰ（Multi Function Peripherals）」と呼ばれる画像形成装置が普及している。
【０００３】
画像形成装置は、通常、タッチパネルなどの入力装置をユーザがタッチすることによって指示される。さらに、マイクロフォンなどの入力装置にユーザが音声を入力することで指示されるものもある。タッチによる指示に加えて音声による指示が可能になるため、ユーザの利便性が向上することがある。以下の特許文献には、タッチおよび音声どちらでもユーザが指示を行うことができる装置が開示されている。
【０００４】
特許文献１に記載された携帯電子機器には、筐体と、画像を表示すると共に、接触操作を入力信号として検出する静電容量式のタッチパネルと、音を音声信号として検出するマイクと、音声操作モードにおいて、マイクにより検出される音声信号を、タッチパネルに対して行われた接触操作の入力信号として処理する制御部と、が備わっている。携帯電子機器は、タッチパネルに水分が付着し、接触操作が異常であることを判別し、または、検出した湿度が所定以上であることを判別すると、音声操作モードに移行する。
【０００５】
特許文献２に記載されたキオスク端末には、ディスプレイと重ねて配置され、操作者のタッチによる入力を感知するタッチパネルと、操作者の声を感知して文字データに変換する音声入力装置が備えられている。入力画面が表示され、入力フィールドへのタッチをタッチパネルが感知すると、５０音入力画面が表示される。操作者は５０音入力画面に表示されている文字をタッチしてデータを入力する。また、入力画面が表示されたり、タッチパネルからの入力がなされたりしてから５秒間、タッチパネルからの入力がない場合には、音声入力の受付を行う。即ち、音声入力に切り替える。
【０００６】
特許文献３に記載された計算装置は、ユーザがタッチ入力領域にタッチしたときに、タッチ入力領域の位置座標を取得し、音声センサから音声信号を更に取得する。ユーザのタッチの衝撃強度が、音声信号に基づいて決定される。計算装置は、決定された衝撃強度に関連付けられたアクションを実行する。
【０００７】
特許文献４に記載されたデータ処理装置において、マイクを介して入力した音声に基づく処理を実行する音声入力モードの最中に、入力した音声が音声入力禁止情報リストに登録されていると判断した場合には、操作部入力モードに移行してテンキーを用いた入力をユーザに行わせるようにし、そうでない場合には音声を用いた入力をユーザに行わせることにより、秘密を保持する必要がある情報については、他人に聞かれないようにテンキーを用いた入力を行わせるようにし、秘密を保持する必要がない情報については、音声による簡易な入力を行わせるようにする。
【０００８】
特許文献５に記載されたＬモードファクシミリは、音声認識部、ボタン操作部、操作時間データベース、ＣＰＵ、ＲＡＭ、ＲＯＭ、表示部、音声合成部を備える。ＣＰＵはユーザによるタスク選択に基づき、操作時間データベースから各入力モード（音声入力モード、ボタン入力モード、音声入力及びボタン入力モード）における平均操作時間を読出し、入力モード選択画面を表示部に表示する。ＣＰＵはユーザにより入力モード選択画面上で音声入力とボタン入力による混合操作が選択されると、音声入力を促す画面を表示し、ユーザの発声を音声認識部により音声認識した結果を画面に表示し、次にボタン入力を促す画面を表示し、ユーザがボタン入力した結果を画面に表示する。
【先行技術文献】
【特許文献】
【０００９】
【特許文献１】特開２０１３−４１３７９号公報
【特許文献２】特開２００４−２３４５２９号公報
【特許文献３】特表２０１３−５０８８０８号公報
【特許文献４】特開２００７−７９８５２号公報
【特許文献５】特開２００５−１１５７７３号公報
【発明の概要】
【発明が解決しようとする課題】
【００１０】
しかし、音声による指示を受け付ける機能があっても、ユーザがタッチによる指示しかしなければ、その機能は使用されない。また、画像形成装置を使用していないユーザの音声を指示として受け付けて、画像形成装置が不要な処理を行ってしまうことがある。
【００１１】
本発明は、音声で指示を受け付ける機能による無駄が従来よりも少ない画像形成装置を提供することを、目的とする。
【課題を解決するための手段】
【００１２】
本発明の一実施形態に係る画像形成装置は、ユーザが両手で使用する機器とともに用いられる画像形成装置であって、前記機器が前記ユーザによって持たれる前は、当該画像形成装置が実行する処理に関する指示を音声によって受け付けず、当該機器が前記両手で使用されている間は、当該指示を当該音声によって受け付ける受付手段を有することを特徴とする。
【００１３】
または、前記機器が前記両手で使用されている間に当該機器が取得した当該ユーザの生体に関する情報を当該機器から受信する受信手段と、受信した前記情報を出力する出力手段と、を有する。
【００１４】
好ましくは、前記受付手段は、前記機器が前記両手で使用されており、かつ、当該画像形成装置が前記ユーザから与えられたジョブを前記処理として実行している間、当該ジョブを中断しまたは一時的に停止する第一の指示を前記指示として前記音声によって受け付ける。
【００１５】
好ましくは、前記受付手段は、前記機器が前記両手で使用されている間、前記処理を実行するための準備が完了していれば、当該処理を開始する第六の指示を前記指示として前記音声によって受け付ける。
【００１６】
または、前記ユーザが前記機器を使用した使用履歴に基づいて、当該画像形成装置の前記音声による操作方法を表示するか否かを判別する、説明要否判別手段と、前記操作方法を表示すると判別した場合、当該操作方法を表示する、表示手段と、を有する。
【００１７】
好ましくは、前記受付手段は、前記機器が前記両手で使用され始めるまでは、前記指示を前記音声によって受け付けることができないようにし、当該機器が当該両手で使用され始めたら当該指示を当該音声によって受け付けることができるようにし、当該機器が当該両手で使用され終わったら当該指示を当該音声によって受け付けることができないようにする。
【００１８】
本発明の他の実施形態に係る画像形成装置は、ユーザが両手で持って当該ユーザの生体を計測する機器とともに用いられる画像形成装置であって、前記機器が前記ユーザによって持たれる前は、当該ユーザによって与えられた、当該画像形成装置が実行する処理に関する指示を音声によって受け付けず、当該機器が前記生体を測定している間は、当該指示を当該音声によって受け付ける受付手段を有することを特徴とする。
【発明の効果】
【００１９】
本発明によると、音声で指示を受け付ける機能による無駄が従来よりも少ない画像形成装置を提供することができる。
【図面の簡単な説明】
【００２０】
【図１】画像形成装置の外観の例を示す図である。
【図２】画像形成装置のハードウェア構成を示す図である。
【図３】ユーザの両手によって保持されたときの測定デバイスの例を示す図である。
【図４】画像形成装置の機能的構成の例を示す図である。
【図５】ホーム画面の例を示す図である。
【図６】コピー操作画面の例を示す図である。
【図７】ジョブデータの例を示す図である。
【図８】説明画面の例を示す図である。
【図９】パーソナルデータの例を示す図である。
【図１０】測定中画面の例を示す図である。
【図１１】測定結果画面の例を示す図である。
【図１２】ビュー画面の例を示す図である。
【図１３】画像形成装置の全体的な処理の流れの例を示すフローチャートである。
【図１４】測定開始時処理の流れの例を示すフローチャートである。
【図１５】対音声入力処理の流れの例を示すフローチャートである。
【図１６】ビュー画面処理の流れの例を示すフローチャートである。
【発明を実施するための形態】
【００２１】
図１は、画像形成装置１の外観の例を示す図である。図２は、画像形成装置１のハードウェア構成を示す図である。図３は、ユーザの両手によって保持されたときの測定デバイス１０ｒの例を示す図である。図４は、画像形成装置１の機能的構成の例を示す図である。
【００２２】
図１に示す画像形成装置１は、コピー、ＰＣプリント、クラウド印刷、ファックス、スキャナ、およびボックスなどの機能を集約した装置である。一般に、「複合機」または「ＭＦＰ（Multi Function Peripherals）」などと呼ばれることがある。
【００２３】
ＰＣプリント機能は、画像形成装置１と同じＬＡＮ（Local Area Network）内にある端末装置から受信した画像データに基づいて、画像を用紙に印刷する機能である。「ネットワークプリンティング」または「ネットワークプリント」などと呼ばれることもある。
【００２４】
クラウド印刷機能は、インターネット上のサーバを経由して外部の端末装置から画像データを受信し画像を用紙に印刷する機能である。
【００２５】
ボックス機能は、ユーザごとに「ボックス」または「パーソナルボックス」などと呼ばれる記憶領域を与えておき、各ユーザが自分の記憶領域によって画像データなどを保存し管理するための機能である。グループごとにボックスを設けておき、グループのメンバで共用することもできる。ボックスは、パーソナルコンピュータにおける「フォルダ」または「ディレクトリ」に相当する。
【００２６】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、無線ＬＡＮ通信ユニット１０ｈ、モデム１０ｉ、スキャンユニット１０ｊ、プリントユニット１０ｋ、フィニッシャ１０ｍ、音声入力ユニット１０ｎ、および測定デバイス１０ｒなどによって構成される。
【００２７】
ＣＰＵ１０ａは、画像形成装置１のメインＣＰＵである。ＲＡＭ１０ｂは、画像形成装置１のメインメモリである。
【００２８】
タッチパネルディスプレイ１０ｅは、ユーザに対するメッセージを示す画面、ユーザがコマンドまたは情報を入力するための画面、およびＣＰＵ１０ａが実行した処理の結果を示す画面などを表示する。さらに、タッチされた位置を示す信号をＣＰＵ１０ａへ送る。
【００２９】
操作キーパネル１０ｆは、いわゆるハードウェアキーボードであって、テンキー、スタートキー、ストップキー、およびファンクションキーなどによって構成される。
【００３０】
ＮＩＣ１０ｇは、ＴＣＰ／ＩＰ（Transmission Control Protocol/Internet Protocol）などのプロトコルで他の装置との通信を行う。
【００３１】
無線ＬＡＮ通信ユニット１０ｈは、無線ＬＡＮの規格、つまり、ＩＥＥＥ（Institute of Electrical and Electronics Engineers）８０２．１１の規格に基づいて他の装置と通信を行う。
【００３２】
モデム１０ｉは、ファックスとの間で、Ｇ３などのプロトコルで文書データをやり取りする。
【００３３】
スキャンユニット１０ｊは、ＡＤＦ（Auto Document Feeder）またはプラテンガラスの上にセットされた原稿（シート）に記されている画像を読み取って画像データを生成する。
【００３４】
プリントユニット１０ｋは、スキャンユニット１０ｊによって読み取られた画像のほか、ＮＩＣ１０ｇによって外部の装置から受信した画像データに示される画像を用紙に印刷する。
【００３５】
フィニッシャ１０ｍは、プリントユニット１０ｋによって得られた印刷物に対して、必要に応じて後処理を施す。後処理は、ステープルで綴じる処理、パンチ穴を開ける処理、または折り曲げる処理などである。
【００３６】
音声入力ユニット１０ｎは、サウンドボードおよびマイクロフォンなどによって構成され、集音し音声データ６Ａを生成する。特に、ユーザがいわゆる音声入力によって画像形成装置１に指示する場合に、ユーザの発した声（つまりユーザの音声）を表す音声データ６Ａを生成する。
【００３７】
測定デバイス１０ｒは、ユーザの血圧および脈拍などを測定する。ユーザは、図３に示すように、４つの端子を両手の親指および人差し指で覆う。このようにして、測定デバイス１０ｒを両手で保持する。
【００３８】
測定デバイス１０ｒは、例えば、両手の親指および人差し指を照射し、それら指によって反射された光を所定の時間の間隔（例えば１秒ごと）で検出する。これによって、脈波を取得する。測定デバイス１０ｒ自身が保持されている間、取得された脈波に基づいてユーザの血圧および脈拍などを測定する。測定した結果（つまり測定値）を示す測定データ６Ｂを生成し、画像形成装置１に送信する。
【００３９】
測定デバイス１０ｒは、有線または無線によって画像形成装置１に接続されている。また、画像形成装置１の側面などに、取り外し可能に配置されている。なお、測定デバイス１０ｒが側面などから取り外された場合、センサによってその旨が検知される。
【００４０】
ＲＯＭ１０ｃまたは補助記憶装置１０ｄには、上述のコピーなどの機能を実現するためのアプリケーションが記憶されている。また、測定時処理プログラム１０Ｐ（図４参照）が記憶されている。
【００４１】
測定時処理プログラム１０Ｐは、測定デバイス１０ｒがユーザの血圧を測定している間、画像形成装置１を、音声入力によってユーザの指示を受け付けることができるようにするプログラムである。また、測定した結果を出力するプログラムである。詳細については、後に説明する。
【００４２】
測定時処理プログラム１０Ｐによると、図４のログイン処理部１０１〜音声処理部１１０が画像形成装置１に実現される。
【００４３】
図５は、ホーム画面５Ａの例を示す図である。図６は、コピー操作画面５１Ｂの例を示す図である。図７は、ジョブデータ６Ｃの例を示す図である。図８は、説明画面５Ｃの例を示す図である。図９は、パーソナルデータ６Ｄの例を示す図である。図１０は、測定中画面５１Ｄの例を示す図である。図１１は、測定結果画面５２Ｄの例を示す図である。図１２は、ビュー画面５Ｆの例を示す図である。
【００４４】
以下、図４のログイン処理部１０１〜音声処理部１１０の動作を、画像形成装置１が、コピーのジョブを実行しかつ測定デバイス１０ｒから測定データ６Ｂを受信する場合を例に、図５〜１２を参照しながら説明する。
【００４５】
ユーザは、原稿の画像を画像形成装置１にコピーさせようと考える。そして、自身のユーザ名およびパスワードを用いて、その画像形成装置１に対してログインを要求する。すると、以下のような処理が行われる。
【００４６】
画像形成装置１のログイン処理部１０１は、ログインの要求を受け付けると、このユーザが正当なユーザであるか否かを判別し、正当なユーザであれば画像形成装置１へのログインを許可する。
【００４７】
音声入力ＯＦＦ部１０２は、ログインが許可されると、音声入力ユニット１０ｎの機能が有効（つまりオン）であれば、音声入力がされないようにその機能を無効（つまりオフ）にする。
【００４８】
画面表示部１０３は、イベントが生じるごとに、後に順次説明するように、適宜、そのイベントに応じた画面をタッチパネルディスプレイ１０ｅに表示させる。
【００４９】
画面表示部１０３は、ログインが許可されると、図５のようなホーム画面５Ａをタッチパネルディスプレイ１０ｅに表示させる。ホーム画面５Ａは、画像形成装置１にジョブを実行させるためにユーザが操作する複数の操作画面５Ｂのうちタッチパネルディスプレイ１０ｅに表示させる操作画面５Ｂをユーザが選択するための画面である。ホーム画面５Ａには、ジョブ名が記載されたアイコンが複数、配置されている。
【００５０】
ユーザは、複数のアイコンのうちコピーのジョブを実行させるために操作する画面に対応するアイコン７Ａを押すことで、図６のようなコピー操作画面５１Ｂをタッチパネルディスプレイ１０ｅに表示させるための指示を画像形成装置１に行う。
【００５１】
すると、画面表示部１０３は、コピー操作画面５１Ｂをタッチパネルディスプレイ１０ｅに表示させる。
【００５２】
ユーザは、コピー操作画面５１Ｂをタッチパネルディスプレイ１０ｅに表示させるための指示を行った後、原稿をＡＤＦにセットする。コピーのジョブの条件（例えば、印刷部数および拡大縮小など）を入力することでジョブの設定を行い、ジョブを開始させるための指示を行う。すると、ジョブ実行部１０４によって以下のような処理が行われる。
【００５３】
ジョブ実行部１０４は、ジョブが実行されるように画像形成装置１の各部を制御する。ここでは、ジョブがコピーのジョブなので、スキャンユニット１０ｊおよびプリントユニット１０ｋなどを制御してジョブを実行させる。
【００５４】
さらに、ジョブ実行部１０４は、そのジョブを識別するジョブコードと、そのジョブの種類であるジョブ種類と、指示を行ったユーザのユーザコードと、が示されるジョブデータ６Ｃを生成し、ジョブコードごとに、図７のようにジョブデータ記憶部１０５に記憶させる。
【００５５】
なお、スキャンユニット１０ｊによって読み取られた原稿の画像は、ＲＡＭ１０ｂなどに記憶される。
【００５６】
ユーザは、画像形成装置１にコピーのジョブを開始させると、そのジョブが実行されている間、画像形成装置１の前で待機する。ここで、ユーザは、待機している間の時間を使って、ユーザ自身の血圧を測定しようと考える。そして、測定デバイス１０ｒを画像形成装置１の側面などから取り外す。すると、以下のような処理が行われる。
【００５７】
説明要否判別部１０６は、測定デバイス１０ｒが画像形成装置１の側面などから取り外されたことがセンサによって検知されると、パーソナルデータ記憶部１０７に記憶されているパーソナルデータ６Ｄに基づいて、図８のような説明画面５Ｃをタッチパネルディスプレイ１０ｅに表示させるか否かを次のように判別する。説明画面５Ｃは、画像形成装置１を音声によって操作する方法をユーザに説明するための画面である。なお、説明画面５Ｃにおいて、測定デバイス１０ｒによる測定方法を説明してもよい。
【００５８】
パーソナルデータ記憶部１０７には、画像形成装置１によって過去にユーザが血圧を測定した日時である測定日時と、そのユーザ（つまり被測定者）の被測定者コードと、そのユーザの測定データ６Ｂと、を含むパーソナルデータ６Ｄが、測定日時ごとに、図９のように記憶されている。
【００５９】
なお、パーソナルデータ６Ｄを生成してパーソナルデータ記憶部１０７に記憶させる処理については、後に説明する。
【００６０】
説明要否判別部１０６は、被測定者コードが、画像形成装置１に現在、ログインしているユーザのユーザコードと一致するパーソナルデータ６Ｄを、パーソナルデータ記憶部１０７から検索する。見つけることができなかった場合または所定の個数未満しか見つけることができなかった場合は、説明画面５Ｃを表示させると判別し、所定の個数以上見つけることができた場合は、表示させないと判別する。所定の個数は、管理者が任意に設定することができる。
【００６１】
すなわち、画像形成装置１は、これから血圧を測定しようとするユーザのパーソナルデータ６Ｄを所定の個数以上見つけることができなければ、そのユーザが、血圧を測定しながら画像形成装置１を操作することに不慣れな者である、つまりビギナーであると判別する。そして、画像形成装置１は、測定デバイス１０ｒを両手で保持しながら（つまり音声によって）画像形成装置１自身を操作するための方法を、ユーザに示す。
【００６２】
例えば、所定の個数が３個以上であり、画像形成装置１に現在、ログインしているユーザのユーザコードが「Ｕ００４」であり、かつ、パーソナルデータ記憶部１０７に記載されているパーソナルデータ６Ｄが図９の通りである場合、説明要否判別部１０６は説明画面５Ｃを表示させると判別する。
【００６３】
画面表示部１０３は、説明画面５Ｃを表示させると説明要否判別部１０６が判別すると、説明画面５Ｃをタッチパネルディスプレイ１０ｅに表示させる。
【００６４】
ユーザは、適宜、説明画面５Ｃによって画像形成装置１を操作する方法を確認すると、説明画面５Ｃの「終了」アイコン７Ｃを押す。すると、以下のような処理が行われる。
【００６５】
音声入力ＯＮ部１０８（図４参照）は、説明画面５Ｃの「終了」アイコンがユーザによって押されると、音声入力ユニット１０ｎの機能をオンにする。すなわち、音声入力がされるようにその機能を有効にする。説明画面５Ｃを表示させないと説明要否判別部１０６が判別したときも、音声入力ユニット１０ｎの機能をオンにする。
【００６６】
測定デバイス１０ｒは、説明画面５Ｃの「終了」アイコン７Ｃがユーザによって押されると、測定する処理を開始する。説明画面５Ｃを表示させないと説明要否判別部１０６が判別したときも、測定する処理を開始する。
【００６７】
ここで、例えばユーザが測定デバイス１０ｒを正確に保持しなければ、測定デバイス１０ｒはユーザの脈波を取得できず、その結果、測定する処理を開始できない。このとき、画面表示部１０３は、測定デバイス１０ｒが測定する処理を開始できるようになるまで、エラーを表示する画面をタッチパネルディスプレイ１０ｅに表示させ続けてもよい。
【００６８】
測定デバイス１０ｒは、測定するごとに測定データ６Ｂを生成し、次々に画像形成装置１に送信する。
【００６９】
測定時処理部１０９は、今回の測定する処理（以下、「今回の測定処理」と記載する。）における最初の測定データ６Ｂ（以下、「測定データ６１Ｂ」と記載する。）を受信すると、以下のような処理を行う。
【００７０】
測定時処理部１０９は、測定データ６１Ｂを受信すると、測定データ６１Ｂを受信した日時を測定日時としまた現在、画像形成装置１にログインしているユーザのユーザコードを被測定者コードとして、測定日時と、被測定者コードと、測定データ６１Ｂと、を関連付けて、パーソナルデータ６Ｄとしてパーソナルデータ記憶部１０７に記憶させる（図９参照）。併せて、経過時間を計測することを開始する。
【００７１】
また、測定時処理部１０９は、測定データ６１Ｂを受信して以降、今回の測定処理の他の測定データ６Ｂを受信するごとにその測定データ６Ｂをパーソナルデータ記憶部１０７に記憶させる。このとき、すでにパーソナルデータ記憶部１０７に記憶されているデータが上書きされないように記憶させる。
【００７２】
なお、測定時処理部１０９は、経過時間が、予め補助記憶装置１０ｄなどに記憶されている、測定する処理が開始されてから完了されるまでに要する所要時間を越えると、今回の測定処理が完了したと判別する。
【００７３】
画面表示部１０３は、測定デバイス１０ｒが測定する処理を開始すると、途中まで測定した内容を示す図１０のような測定中画面５１Ｄを生成する処理を以下のように行う。
【００７４】
すなわち、画面表示部１０３は、パーソナルデータ記憶部１０７に記憶されているパーソナルデータ６Ｄのうち、今回の測定処理のパーソナルデータ６Ｄを読み出す。
【００７５】
また、画面表示部１０３は、測定時処理部１０９に、今回の測定処理が完了するまでに要する残り時間ｔを要求する。測定時処理部１０９は、要求に応じて、所要時間と経過時間との差を残り時間ｔとして算出し、画面表示部１０３に送る。
【００７６】
また、画面表示部１０３は、読み出したパーソナルデータ６Ｄの測定データ６Ｂおよび受け取った残り時間ｔに基づいて測定中画面５１Ｄを生成する。
【００７７】
なお、画面表示部１０３は、所定の時間の間隔（例えば２、３秒ごと）で、パーソナルデータ６Ｄを再度、読み出しかつ新たな残り時間ｔを要求して受け取ることで、新たな測定中画面５１Ｄを生成してタッチパネルディスプレイ１０ｅに表示させてもよい。これにより、測定中画面５１Ｄが所定の時間の間隔で更新される。
【００７８】
画面表示部１０３は、生成した測定中画面５１Ｄをタッチパネルディスプレイ１０ｅに表示させる。
【００７９】
また、画面表示部１０３は、今回の測定処理が完了したと測定時処理部１０９が判別すると、今回の測定処理のパーソナルデータ６Ｄのすべての測定データ６Ｂに基づいて、測定した結果を示す図１１のような測定結果画面５２Ｄを生成してタッチパネルディスプレイ１０ｅに表示させる。
【００８０】
ユーザは、測定された結果を測定結果画面５２Ｄによって確認すると、ホーム画面５Ａをタッチパネルディスプレイ１０ｅに表示させるための指示を音声によって画像形成装置１に行う。または、今回の測定処理が完了する前に、その今回の測定処理を中断させる（つまりキャンセルさせる）ための指示を音声によって画像形成装置１に行う。すると、以下のような処理が行われる。
【００８１】
音声入力ユニット１０ｎ（図３参照）は、ユーザから音声が入力されるごとに、ユーザの音声に基づいて音声データ６Ａを生成する。
【００８２】
音声処理部１１０（図４参照）は、音声入力ユニット１０ｎが生成した音声データ６Ａを取得し、例えば音声用のＩＭＥ（Input Method Editor）などによって、音声データ６Ａを文字コードに変換する。文字コードに基づいてユーザの指示の内容を識別する。すなわち、生じたイベントを識別する。
【００８３】
測定結果画面５２Ｄがタッチパネルディスプレイ１０ｅに表示されているときにホーム画面５Ａを表示させるための指示が行われ、または、今回の測定処理を中断させるための指示が行われると、音声入力ＯＦＦ部１０２は音声入力ユニット１０ｎの機能をオフにする。また、画面表示部１０３は、ホーム画面５Ａ（図５参照）をタッチパネルディスプレイ１０ｅに表示させる。なお、ＲＡＭ１０ｂなどに記憶されている原稿の画像が消去される。
【００８４】
測定デバイス１０ｒは、今回の測定処理を中断させるための指示が行われると、測定する処理を中断する。
【００８５】
なお、ユーザは、測定デバイス１０ｒが画像形成装置１の側面などから取り外される前にタッチパネルディスプレイ１０ｅに表示されていた操作画面５Ｂを再度、表示させるための指示を、測定中画面５１Ｄが表示されているときに音声によって行うことができる。画面表示部１０３は、指示が行われると、その操作画面５Ｂをタッチパネルディスプレイ１０ｅに表示させる。
【００８６】
その後、ユーザが、測定中画面５１Ｄを再度タッチパネルディスプレイ１０ｅに表示させるための指示を音声によって画像形成装置１に行う。すると、画面表示部１０３は、上述と同様に、パーソナルデータ６Ｄを読み出しかつ新たな残り時間ｔを要求して受け取り、読み出したパーソナルデータ６Ｄおよび受け取った残り時間ｔに基づいて測定中画面５１Ｄを生成し、タッチパネルディスプレイ１０ｅに表示させる。
【００８７】
ところで、音声入力ユニット１０ｎの機能がオンであるときに、ユーザは、画像形成装置１が現在、実行しているジョブを中断させ（つまりキャンセルさせ）または一時的に停止させるための指示を音声によって画像形成装置１に行う。すると、ジョブ実行部１０４は、ジョブが一時的に停止などされるように、画像形成装置１の各部を制御する。
【００８８】
このとき、ジョブ実行部１０４は、ジョブを実行させるための指示を行ったユーザと、ジョブを中断させまたは一時的に停止させるための指示を行ったユーザと、が一致するか否かを判別する。具体的には現在、実行されているジョブのユーザコードおよび今回の測定処理のパーソナルデータ６Ｄの被測定者コードに基づいて、判別する。そして、両者が一致すれば、ジョブが一時的に停止などされるように画像形成装置１の各部を制御する。
【００８９】
または、音声入力ユニット１０ｎの機能がオンであるときに、ユーザが説明画面５Ｃを再度、タッチパネルディスプレイ１０ｅに表示させるための指示を音声によって行うと、画面表示部１０３は、説明画面５Ｃをタッチパネルディスプレイ１０ｅに表示させる。
【００９０】
または、音声入力ユニット１０ｎの機能がオンであるときに、ユーザは、画像形成装置１が実行したまたは実行中であるジョブの一覧を表示させるための指示を音声によって行う。すると、画面表示部１０３は、ジョブデータ記憶部１０５に記憶されているジョブデータ６Ｃに基づいて、画像形成装置１が実行したまたは実行中であるジョブの一覧を示すジョブリスト画面５Ｅを、タッチパネルディスプレイ１０ｅに表示させる。
【００９１】
または、音声入力ユニット１０ｎの機能がオンであるときに、ユーザは、画像形成装置１が現在、実行している印刷のジョブの画像（以下、「印刷画像７Ｆ」と記載する。）を確認するための指示を音声によって画像形成装置１に行う。すると、画面表示部１０３は、印刷画像７Ｆを確認するための図１２のようなビュー画面５Ｆを、タッチパネルディスプレイ１０ｅに表示させる。
【００９２】
印刷のジョブの原稿が複数枚ある場合、ビュー画面５Ｆがタッチパネルディスプレイ１０ｅに表示されているときに、ユーザは現在、ビュー画面５Ｆに表示されている印刷画像７Ｆである印刷画像７１Ｆを、印刷画像７１Ｆの原稿の一つ後の原稿の画像（つまり次の印刷画像７Ｆ）に変更させるための指示を音声によって画像形成装置１に行う。または、印刷画像７１Ｆの原稿の１つ前の原稿の画像（つまり１つ前の印刷画像７Ｆ）に変更させるための指示を行う。すると、画面表示部１０３は、ユーザの指示にしたがって変更した印刷画像７Ｆを配置したビュー画面５Ｆを、タッチパネルディスプレイ１０ｅに表示させる。
【００９３】
ビュー画面５Ｆがタッチパネルディスプレイ１０ｅに表示されているときに、ユーザは、印字の方向と用紙の方向とが一致していないことを理由に、印刷画像７Ｆの印刷の方向を変更しようと考える。そして、画像形成装置１が現在、実行している印刷のジョブを一時的に停止させるための指示を音声によって画像形成装置１に行う。
【００９４】
ジョブ実行部１０４は、上述と同様に、印刷のジョブが一時的に停止されるように画像形成装置１の各部を制御する。
【００９５】
続けて、ユーザは、印刷画像７Ｆを所定の方向に所定の角度（例えば右方向に９０度）、回転させるための指示を音声によって画像形成装置１に行う。すなわち、印刷画像７Ｆの印刷の方向を変更させるための指示を音声によって画像形成装置１に行う。すると、画面表示部１０３は、ユーザの指示にしたがって回転させた印刷画像７Ｆを配置したビュー画面５Ｆを、タッチパネルディスプレイ１０ｅに表示させる。
【００９６】
続けて、ユーザは、印刷画像７Ｆを回転させる度合（つまり印刷の方向を変更させる度合）を確定させるための指示を音声によって画像形成装置１に行う。すると、ジョブ実行部１０４は、回転された印刷画像７Ｆに対して印刷のジョブが最初から実行されるように、画像形成装置１の各部を制御する。
【００９７】
ビュー画面５Ｆがタッチパネルディスプレイ１０ｅに表示されているときに、ユーザは、印刷画像７Ｆの濃度などを調整させるための指示を行う。すると、画面表示部１０３は、ユーザの指示にしたがって濃度などを調整した印刷画像７Ｆを配置したビュー画面５Ｆを、タッチパネルディスプレイ１０ｅに表示させる。
【００９８】
または、音声入力ユニット１０ｎの機能がオンであるときに、ユーザは、画像形成装置１が実行した最近の印刷のジョブの画像を再度、印刷するジョブ（以下、「リプリントジョブ」と記載する。）を実行させるための指示を行う。すると、ジョブ実行部１０４は、リプリントジョブの対象となる画像をＲＡＭ１０ｂなどから検索し、その検索した画像に対してリプリントジョブが実行されるようにする。
【００９９】
なお、音声入力ユニット１０ｎの機能がオンであるときに、画像形成装置１がジョブを開始していなければ、ユーザは、ジョブを開始させるための指示を音声によって行うこともできる。
【０１００】
このとき、ジョブ実行部１０４は、ジョブを実行するための準備が完了しているか否かを、例えばＡＤＦに原稿がセットされているか否かに基づいて判別する。そして、準備が完了していれば、ジョブが実行されるように画像形成装置１の各部を制御する。
【０１０１】
図１３は、画像形成装置１の全体的な処理の流れの例を示すフローチャートである。図１４は、測定開始時処理の流れの例を示すフローチャートである。図１５は、対音声入力処理の流れの例を示すフローチャートである。図１６は、ビュー画面処理の流れの例を示すフローチャートである。
【０１０２】
次に、画像形成装置１における全体的な処理の流れを、図１３〜１６のフローチャートを参照しながら説明する。
【０１０３】
画像形成装置１は、測定時処理プログラム１０Ｐに基づいて、図１３に示す手順で処理を実行する。
【０１０４】
画像形成装置１は、ユーザからのログインの要求に応じてログイン処理を行い（図１３の＃６０１）、ログインを許可すると音声入力の機能がオンであればオフに切り換え（＃６０２）、ホーム画面５Ａを表示する（＃６０３）。
【０１０５】
画像形成装置１は、表示させたい操作画面５Ｂの選択をユーザが行った場合は（＃６０４でＹｅｓ）、選択された操作画面５Ｂを表示する（＃６０５）。
【０１０６】
画像形成装置１は、ジョブの条件をユーザが入力した場合は（＃６０６でＹｅｓ）、その条件にしたがってジョブの設定を行う（＃６０７）。
【０１０７】
画像形成装置１は、ジョブの開始の指示をユーザが行った場合は（＃６０８でＹｅｓ）、ジョブを開始する（＃６０９）。このとき、ジョブを実行している最中に取得した画像（例えば、スキャンユニット１０ｊによって読み取られた原稿の画像）がＲＡＭ１０ｂなどに記憶される。
【０１０８】
画像形成装置１は、測定デバイス１０ｒが取り外されたことを検知した場合は（＃６１０でＹｅｓ、＃６１１でＮｏ）、図１４のような測定開始時処理を行う（＃６１２）。
【０１０９】
測定開始時処理において、画像形成装置１は、血圧を測定しようとするユーザがビギナーであるか否かを判別する（＃６３１）。
【０１１０】
画像形成装置１は、ユーザがビギナーであると判別した場合は（＃６３２でＹｅｓ）、説明画面５Ｃを表示する（＃６３３）。ユーザがビギナーでないと判別した場合（＃６３２でＮｏ）または説明画面５Ｃを閉じると（＃６３４でＹｅｓ）、測定処理を開始し（＃６３５）、測定中画面５１Ｄを表示し（＃６３６）、音声入力の機能をオンにする（＃６３７）。
【０１１１】
画像形成装置１は、測定デバイス１０ｒによって測定データ６Ｂを生成し続けている間につまり今回の測定処理を行っている間に（＃６１０でＹｅｓ、＃６１１でＹｅｓ、＃６１３でＮｏ、＃６１８でＮｏ）、ユーザが音声入力を行うと（＃６１４でＹｅｓ）、図１５のような対音声入力処理を行う（＃６１５）。
【０１１２】
対音声入力処理において、画像形成装置１は、音声入力がジョブの開始を指示するものである場合は（＃６５１でＹｅｓ）、ジョブの実行の準備が完了していれば（＃６５２でＹｅｓ）、ジョブを開始してジョブの画像をＲＡＭ１０ｂなどに記憶する（＃６５３）。
【０１１３】
画像形成装置１は、音声入力がジョブの中断または一時的な停止を指示するものである場合は（＃６５４でＹｅｓ）、ジョブの実行の指示を行ったユーザと被測定者とが一致するか否かを判別し（＃６５５）、一致すれば（＃６５６でＹｅｓ）、ジョブの一時的な停止などを行う（＃６５７）。
【０１１４】
画像形成装置１は、音声入力が説明画面５Ｃの表示を指示するものである場合は（＃６５８でＹｅｓ）、説明画面５Ｃを表示する（＃６５９）。
【０１１５】
画像形成装置１は、音声入力が測定中画面５１Ｄの表示を指示するものである場合は（＃６６０でＹｅｓ）、測定中画面５１Ｄを表示する（＃６６１）。
【０１１６】
画像形成装置１は、音声入力がジョブリスト画面５Ｅの表示を指示するものである場合は（＃６６２でＹｅｓ）、ジョブリスト画面５Ｅを表示する（＃６６３）。
【０１１７】
画像形成装置１は、音声入力がビュー画面５Ｆの表示を指示するものである場合は（＃６６４でＹｅｓ）、ビュー画面５Ｆを表示する（＃６６５）。ビュー画面５Ｆを表示しているときは（＃６６６でＹｅｓ）、図１６のようなビュー画面表示処理を行う（＃６６７）。
【０１１８】
ビュー画面表示処理において、画像形成装置１は、ビュー画面５Ｆの印刷画像７Ｆ（つまり印刷画像７１Ｆ）を次の印刷画像７Ｆに変更する指示をユーザが音声によって行った場合は（＃６８１でＹｅｓ）、次の印刷画像７Ｆを配置したビュー画面５Ｆを表示する（＃６８２）。
【０１１９】
画像形成装置１は、ビュー画面５Ｆの印刷画像７Ｆ（つまり印刷画像７１Ｆ）を１つ前の印刷画像７Ｆに変更する指示をユーザが音声によって行った場合は（＃６８３でＹｅｓ）、１つ前の印刷画像７Ｆを配置したビュー画面５Ｆを表示する（＃６８４）。
【０１２０】
画像形成装置１は、印刷画像７Ｆの印刷のジョブを一時的に停止して印刷画像７Ｆを回転する指示をユーザが音声によって行った場合は（＃６８５でＹｅｓ）、印刷のジョブを一時的に停止して（＃６８６）、指定された角度で回転させた印刷画像７Ｆを配置したビュー画面５Ｆを表示し、印刷のジョブを最初から実行する（＃６８７）。
【０１２１】
画像形成装置１は、印刷画像７Ｆの調整の指示をユーザが音声によって行った場合は（＃６８８でＹｅｓ）、指示にしたがって調整した印刷画像７Ｆを配置したビュー画面５Ｆを、表示する（＃６８９）。
【０１２２】
図１５に戻って、画像形成装置１は、リプリントジョブの実行をユーザが音声によって行った場合は（＃６６８でＹｅｓ）、リプリントジョブを実行する（＃６６９）。
【０１２３】
図１３に戻って、画像形成装置１は、今回の測定処理を完了すると（＃６１３でＹｅｓ）、測定結果画面５２Ｄを表示して（＃６１６）、ＲＡＭ１０ｂなどに記憶されている、ジョブの画像を消去する（＃６１７）。そして、音声入力の機能をオフにする（＃６０２）。
【０１２４】
画像形成装置１は、今回の測定処理の中断の指示をユーザが行った場合は（＃６１８でＹｅｓ）、今回の測定処理を中断するとともに、ＲＡＭ１０ｂなどに記憶されている、ジョブの画像を消去する（＃６１９）。なお、このときに、今回の測定処理が中断された旨をタッチパネルディスプレイ１０ｅに表示してもよい。そして、音声入力の機能をオフにする（＃６０２）。
【０１２５】
画像形成装置１は、ユーザからのログアウトの要求に応じてログアウトの処理を行うまで（＃６２０でＮｏ）、上述のステップ＃６０２〜６１９、＃６３１〜６３７、＃６５１〜６６９、および、＃６８１〜６８９を、適宜、繰り返す。
【０１２６】
本実施形態によると、音声で指示を受け付ける機能による無駄が従来よりも少ない画像形成装置１を提供することができる。
【０１２７】
本実施形態では、音声入力ＯＮ部１０８が音声入力ユニット１０ｎの機能をオンにするタイミングは、ユーザが説明画面５Ｃの「終了」アイコン７Ｃを押したときであった。しかし、そのタイミングは以下のようなものであってもよい。
【０１２８】
すなわち、測定デバイス１０ｒがユーザの脈波を取得したとき（つまり測定する処理を開始したとき）であってもよい。または、説明要否判別部１０６が説明画面５Ｃをタッチパネルディスプレイ１０ｅに表示させるか否かを判別したときであってもよい。または、測定デバイス１０ｒが画像形成装置１の側面などから取り外されたことをセンサが検知したときであってもよい。
【０１２９】
本実施形態では、音声入力ＯＦＦ部１０２が音声入力ユニット１０ｎの機能をオフにするタイミングは、ログイン処理部１０１がログインを許可したとき、測定結果画面５２Ｄがタッチパネルディスプレイ１０ｅに表示されている際にホーム画面５Ａを表示させるための指示が行われたとき、および、今回の測定処理を中断させるための指示が行われたときであった。しかし、そのタイミングは、以下のようなものであってもよい。
【０１３０】
すなわち、測定デバイス１０ｒがすべての測定データ６Ｂを送信し終えたとき（つまり測定する処理を完了したとき）であってもよい。または、測定デバイス１０ｒが元の位置（つまり画像形成装置１の側面など）に戻されたことをセンサが検知したときであってもよい。または、測定デバイス１０ｒが、測定する処理を行っている際にユーザの脈波を取得できなくなったときであってもよい。
【０１３１】
本実施形態では、説明要否判別部１０６が説明画面５Ｃを表示させると判別する条件は、画像形成装置１に現在、ログインしているユーザのユーザコードと一致する被測定者コードのパーソナルデータ６Ｄ（以下、「一致データ」と記載する。）が、パーソナルデータ記憶部１０７に所定の個数以上、記憶されていることであった。
【０１３２】
しかし、パーソナルデータ記憶部１０７に最近、記憶された一致データの測定日時と、測定する処理を現在、ログインしているユーザが開始させた時間（例えば測定デバイス１０ｒが画像形成装置１から取り外されたときの時間）と、の間隔（以下、「測定間隔時間」と記載する。）が所定以上（例えば５００時間以上）であることを、その条件（つまり説明画面５Ｃを表示させると判別する条件）としてもよい。
【０１３３】
さらに、一致データがパーソナルデータ記憶部１０７に所定の個数以上、記憶されていても、測定間隔時間が所定以上であれば、説明要否判別部１０６は説明画面５Ｃを表示させると判別してもよい。
【０１３４】
本実施形態では、測定デバイス１０ｒが測定する処理を開始する条件は、説明画面５Ｃの「終了」アイコン７Ｃがユーザによって押されたこと、または、説明画面５Ｃを表示させないと説明要否判別部１０６が判別したことであった。
【０１３５】
しかし、説明画面５Ｃの「終了」アイコン７Ｃがユーザによって押された後または説明画面５Ｃを表示させないと説明要否判別部１０６が判別した後に、測定する処理を開始する指示をユーザが音声によって画像形成装置１に行ったことを、その条件（つまり測定する処理を開始する条件）としてもよい。
【０１３６】
本実施形態では、残り時間ｔを算出したのは測定時処理部１０９であった。しかし、算出するのは測定デバイス１０ｒであってもよい。また、本実施形態では、測定する処理が完了したことを測定時処理部１０９が判別する条件は、測定時処理部１０９が計測する経過時間が所要時間を超えたことであった。しかし、測定する処理が完了したことを測定デバイス１０ｒが測定時処理部１０９へ通知して測定時処理部１０９がその通知を受けることを、その条件としてもよい。
【０１３７】
これらの場合において、測定デバイス１０ｒは、所要時間を記憶する。測定する処理を開始するとともに、経過時間を計測することを開始する。測定データ６Ｂを生成するごとに、経過時間および所要時間に基づいて残り時間ｔを算出する。算出した残り時間ｔは、測定データ６Ｂとともに測定時処理部１０９に送信される。
【０１３８】
また、測定デバイス１０ｒは、経過時間が所要時間を越えると、測定する処理を完了させる。測定時処理部１０９に、最後に生成した測定データ６Ｂを送信するとともに、測定する処理が完了したことを通知する。測定時処理部１０９は、最後に生成された測定データ６Ｂを受信するとともに、測定する処理が完了した通知を受けることで、測定する処理が完了したことを判別する。
【０１３９】
本実施形態において、ビュー画面５Ｆの印刷画像７Ｆが上述のように変更され（つまり次の原稿の画像または１つ前の原稿の画像に変更され）または調整されるときにも、ジョブ実行部１０４は、ユーザからの指示にしたがって、実行中のジョブが一時的に停止されるようにしてもよい。
【０１４０】
このとき、ジョブ実行部１０４は、ジョブを実行させるための指示を行ったユーザと、印刷画像７Ｆの変更などさせるための指示を行ったユーザと、が一致するか否かを判別してもよい。そして、両者が一致すれば、上述と同様に、そのジョブが一時的に停止されるように、画像形成装置１の各部を制御すればよい。その後、画面表示部１０３は、ユーザの指示にしたがって変更などされた印刷画像７Ｆを配置したビュー画面５Ｆを、タッチパネルディスプレイ１０ｅに表示させればよい。
【０１４１】
その他、画像形成装置１の全体または各部の構成、処理の内容、処理の順序、および、データの構成などは、本発明の趣旨に沿って適宜変更することができる。
【符号の説明】
【０１４２】
６Ｂ  測定データ（ユーザの生体に関する情報）
６Ｄ  パーソナルデータ（使用履歴）
１０ｒ  測定デバイス（機器）
１０３  画面表示部（出力手段、表示手段）
１０６  説明要否判別部（説明要否判別手段）
１０９  測定時処理部（受信手段）
１１０  音声処理部（受付手段）
【図１】
2020012927.tif 000003
【図２】
2020012927.tif 000004
【図３】
2020012927.tif 000005
【図４】
2020012927.tif 000006
【図５】
2020012927.tif 000007
【図６】
2020012927.tif 000008
【図７】
2020012927.tif 000009
【図８】
2020012927.tif 000010
【図９】
2020012927.tif 000011
【図１０】
2020012927.tif 000012
【図１１】
2020012927.tif 000013
【図１２】
2020012927.tif 000014
【図１３】
2020012927.tif 000015
【図１４】
2020012927.tif 000016
【図１５】
2020012927.tif 000017
【図１６】
2020012927.tif 000018